(57)【要約】【課題】利用者が希望する位置に関する画像について画像提供者が入札を行い、入札金額が最も安価な画像を購入することができる逆オークションシステムを提供する。【解決手段】画像希望者２０が登録した希望画像情報に基づいて、画像提供者３０は入札金額を入力すると共にサムネイル画像及び撮影位置情報を登録して入札を行う。画像希望者２０は、入札金額の安い順に表示されたサムネイル画像及び撮影位置情報を基に、落札画像を決定する。落札後、オンライン決済が行なわれ、落札画像はデータ転送により画像希望者２０に転送される。【選択図】  図１
2009086743.tif 000002
【特許請求の範囲】
【請求項１】
コンテンツ取得希望者が所望とする任意の位置に関するコンテンツの内容をコンテンツ提供希望者に告知する手段と、
前記コンテンツ提供希望者が入札価格を入力して前記告知されたコンテンツの内容に対応する提供希望コンテンツを入札する手段と、
前記提供希望コンテンツの内容と前記入札価格を表示し、前記コンテンツ取得希望者に閲覧させる閲覧手段と、
前記コンテンツ取得希望者が複数の前記提供希望コンテンツの中から提供コンテンツを落札する手段と、
を備えたことを特徴とする逆オークションシステム。
【請求項２】
前記閲覧手段は、前記提供希望コンテンツの位置に関する情報を地図上に表示することを特徴とする請求項１に記載の逆オークションシステム。
【請求項３】
前記閲覧手段は、複数の入札価格を昇順に並べて表示することを特徴とする請求項１又は２に記載の逆オークションシステム。
【請求項４】
前記提供希望コンテンツにおける前記コンテンツ取得希望者の要求内容に対する合致度を含む評価値を算出する手段を備え、前記閲覧手段は前記評価値を表示することを特徴とする請求項１から３のいずれかに記載の逆オークションシステム。
【請求項５】
前記コンテンツ取得希望者が所望とする任意の位置に関するコンテンツは、緯度経度の情報を含むコンテンツであることを特徴とする請求項１から４のいずれかに記載の逆オークションシステム。
【請求項６】
前記コンテンツ取得希望者が所望とする任意の位置に関するコンテンツは電送可能なコンテンツであり、落札後に通信ネットワークを介して前記提供コンテンツの落札者からコンテンツ取得希望者へ前記提供コンテンツを送信する手段を備えたことを特徴とする請求項１から５のいずれかに記載の逆オークションシステム。
【請求項７】
落札後に前記コンテンツ取得希望者から前記提供コンテンツの落札者へ前記提供コンテンツの対価をオンラインで決済する手段を備えたことを特徴とする請求項１から６のいずれかに記載の逆オークションシステム。
【発明の詳細な説明】
【技術分野】
【０００１】
本発明は逆オークションシステムに係り、特に位置に関連するデータを入落札する逆オークションシステムに関する。
【背景技術】
【０００２】
近年カメラ付きＧＰＳ携帯電話等の普及により位置情報付き画像を手軽に撮影する機会が増え、また位置情報付き画像を地図上の撮影された位置に簡易に表示できるＷｅｂアプリケーションも登場し、位置情報付き画像に対する機運が非常に高まっている。しかし、例えば日本全国の公衆電話の写真を掲載した地図等を作成する際、個人が日本全国で公衆電話の位置情報付き画像を撮影するのは現実的に困難であり、手軽に所望の位置情報付き画像を安価に入手することができるシステムについて技術開発がなされている。
【０００３】
引用文献１は、情報収集システムの利用者が欲しい画像の撮影希望位置や撮影希望日時等の撮影依頼情報を、撮影希望位置付近に居る画像提供者に送信し、画像提供者によって撮影された画像をシステム利用者に提供することを仲介するシステムについて開示されている。また、引用文献２には、情報収集システムの利用者が欲しい画像の撮影希望位置や撮影希望日時等の撮影依頼情報を、撮影希望位置付近に居る画像提供者に送信し、画像提供者によって撮影された画像をシステム利用者が査定し、撮影画像を購入する場合には課金を行い、システム利用者が画像提供者に報酬を支払う情報収集システムについて開示されている。
【特許文献１】国際公開ＷＯ２００２／０７７８６８号公報
【特許文献２】特開２００４−３２６４０６号公報
【発明の開示】
【発明が解決しようとする課題】
【０００４】
しかしながら、特許文献１及び２に記載の技術には、撮影対象者を撮影希望位置付近に居る者に限定しているという欠点があった。また、より安く所望の位置の位置情報付き画像を入手できる方法について未考慮であるという問題点があった。本発明はこのような事情に鑑みてなされたもので、利用者が希望する位置に関する画像等の情報について情報提供者が入札を行い、入札金額が最も安価な情報を落札して購入することができる逆オークションシステムを提供することを目的とする。
【課題を解決するための手段】
【０００５】
前記目的を達成するために請求項１に記載の逆オークションシステムは、コンテンツ取得希望者が所望とする任意の位置に関するコンテンツの内容をコンテンツ提供希望者に告知する手段と、前記コンテンツ提供希望者が入札価格を入力して前記告知されたコンテンツの内容に対応する提供希望コンテンツを入札する手段と、前記提供希望コンテンツの内容と前記入札価格を前記コンテンツ取得希望者に告知する手段と、前記コンテンツ取得希望者が複数の前記提供希望コンテンツの中から提供コンテンツを落札する手段とを備えたことを特徴とする。
【０００６】
これにより、ユーザが所望とする情報をより安価に他者から取得することができる。
【０００７】
請求項２に示すように請求項１に記載の逆オークションシステムにおいて、前記閲覧手段は、前記提供希望コンテンツの位置に関する情報を地図上に表示することを特徴とする。
【０００８】
これにより、ユーザが所望とする位置のコンテンツであることを簡単に確認することができる。
【０００９】
請求項３に示すように請求項１又は２に記載の逆オークションシステムにおいて、前記閲覧手段は、複数の入札価格を昇順に並べて表示することを特徴とする
これにより、ユーザが所望とする情報を安価なものから探すことができる。
【００１０】
請求項４に示すように請求項１又は３に記載の逆オークションシステムにおいて、前記提供希望コンテンツにおける前記コンテンツ取得希望者の要求内容に対する合致度を含む評価値を算出する手段を備え、前記閲覧手段は前記評価値を表示することを特徴とする。
【００１１】
これにより、ユーザが所望とする情報の要求への合致度を落札前に確認することができる。
【００１２】
請求項５に示すように請求項１から４のいずれかに記載の逆オークションシステムにおいて、前記コンテンツ取得希望者が所望とする任意の位置に関するコンテンツは、緯度経度の情報を含むコンテンツであることを特徴とする。
【００１３】
これにより、ユーザが所望とする位置で作成された情報を他者から取得することができる。
【００１４】
請求項６に示すように請求項１から５のいずれかに記載の逆オークションシステムにおいて、前記コンテンツ取得希望者が所望とする任意の位置に関するコンテンツは電送可能なコンテンツであり、落札後に前記提供コンテンツの落札者からコンテンツ取得希望者へ通信ネットワークを介して前記提供コンテンツを送信する手段を備えたことを特徴とする。
【００１５】
請求項７に示すように請求項１から６のいずれかに記載の逆オークションシステムにおいて、落札後に前記コンテンツ取得希望者から前記提供コンテンツの落札者へ前記提供コンテンツの対価をオンラインで決済する手段を備えたことを特徴とする。
【発明の効果】
【００１６】
本発明によれば、利用者が希望する位置に関する画像等の情報について情報提供者が入札を行い、入札金額が最も安価な情報を落札して購入することができる逆オークションシステムを提供することができる。
【発明を実施するための最良の形態】
【００１７】
以下、添付図面に従って本発明を実施するための最良の形態について説明する。
【００１８】
図１は、本発明の逆オークションシステムを実現する仲介サーバ１０のブロック図である。仲介サーバ１０は、希望画像情報登録手段１１、希望画像情報告知手段１２、画像入札手段１３、入札画像表示手段１４、落札手段１５、決済手段１６、及び画像取引手段１７から構成されている。
【００１９】
仲介サーバ１０は、通信ネットワーク等を介して画像希望者２０のパソコン等と接続されている。希望画像情報登録手段１１は、画像希望者２０が所望とする位置の画像の登録の受け付けを行う。希望画像情報告知手段１２は、登録された希望画像情報について、Ｗｅｂサイト等を用いてネットワーク上に告知を行う。画像入札手段１３は、Ｗｅｂサイト等で告知された希望画像について、同様に通信ネットワーク等を介して接続された複数の画像提供者３０から入札を受け付ける。入札画像表示手段１４は、入札された画像のサムネイル画像の表示を行う。
【００２０】
落札手段１５は、画像希望者２０が複数の入札画像から選択した所望の画像について、落札を受け付ける。決済手段１６は、画像希望者２０から落札した画像の画像提供者３０への対価の支払いについての仲介を行う。落札画像取引仲裁手段１７は、落札した画像データの送受信について、仲介を行う。
【００２１】
次に、仲介サーバ１０を用いた逆オークションについて、図２のフローチャートを用いて説明する。
【００２２】
最初に、画像希望者２０が、希望する画像の情報の登録を行う（ステップＳ２１）。画像希望者は、パソコン等を用いて仲介サーバ１０に接続し、希望画像情報登録画面を呼び出す。希望画像情報登録手段１１は、画像希望者２０のパソコンに図３に示す画面を表示する。図３の画面は、希望画像情報登録画面であり、画像希望者２０が希望する画像の情報を登録する画面である。
【００２３】
位置入力部２１は、画像希望者が所望とする画像の撮影地点を指定するための地図であり、マウスなどのポインティングデバイスを用いてカーソルを移動させ、希望撮影地点を指定することができる。また、この地図は自由に拡大・縮小することが可能となっており、拡大するほど詳細に希望撮影地点を指定することが可能となる。さらに、指定した地点の緯経度を表示することが可能である。この地図は、日本地図に限定されるものではなく、ある特定の地域の地図または世界地図のようなものでも良い。なお、地図上で指定するのではなく、希望撮影地点の緯経度を入力して指定したり、住所を入力することにより指定してもよい。
【００２４】
方向入力部２５は、画像希望者が所望する撮影方向を入力するための項目である。図３では８方向の中から１方向を選ぶようになっているが、４方向や１６方向、または直接角度を入力するようなインターフェースであってもよい。
【００２５】
終了日時指定部２２は、逆オークションが終了する日時を入力するための項目である。逆オークションの終了とは、入札の受付を締め切ることをいう。最高落札金額指定部２３は、逆オークションの最高落札金額を入力するための項目である。本逆オークションの入札は、最高落札金額以下の金額で入札が可能となるが、必ずしも最高入札金額を下回る必要はない。撮影日時指定部２４は、画像希望者が所望する画像の撮影期間を入力するための項目である。ここで指定された期間内に撮影された画像の入札が可能となる。
【００２６】
画像希望者２０は、これらの入力を行い、最後に登録ボタン２６をクリックすると、登録が完了する。希望画像情報登録手段１１は、入力された情報を記憶する。
【００２７】
次に、仲介サーバ１０は、希望画像情報を告知する（ステップＳ２２）。希望画像情報の告知は、希望画像情報告知手段１２がステップＳ２１において登録された希望画像情報をＷｅｂサイト等に掲載することにより行い、不特定多数の画像提供者へ公開する。図４は、登録済みの希望画像情報の一覧を告知するための画面表示であり、希望画像の希望撮影地点の都道府県名、市区町村名、最高落札金額、現在の入札数が表示されている。希望撮影地点情報を選択すると、図５の画像入札画面へと遷移する。
【００２８】
図５は、希望画像情報の詳細表示と、該希望画像情報に対して画像提供者が入札を行うための画面である。
【００２９】
位置表示部５１は、画像希望者が所望する画像の撮影地点を表示するための地図であり、地図上に矢印で示されている地点が希望撮影地点である。この地図は自由に拡大・縮小することが可能となっており、拡大表示を行って詳細な希望撮影地点を知ることができる。なお、地図表示ではなく、希望撮影地点の緯経度や住所を表示してもよい。
【００３０】
方向表示部５５は、希望撮影地点における撮影方向を表示している。この例では８方向の中から１方向を選ぶようになっているが、４方向や１６方向、または直接角度を表示するようなインターフェ一スであってもよい。
【００３１】
終了日時表示部５２は、この希望画像の逆オークションが終了する日時を表示しており、最高落札金額表示部５３は、この希望画像の逆オークションの最高落札金額を表示している。撮影日時表示部５４は、画像希望者が所望する撮影期間を表示しており、この期間に撮影された画像を入札することができる。最低入札金額表示部５７は、この希望画像の逆オークションにおける現在の最低入札金額を表示している。
【００３２】
なお、この画面において、入札数や、入札されている画像のサムネイルの確認ができてもよい。
【００３３】
画像提供者３０は、ここで表示された希望画像に該当する画像を所持している場合に、本逆オークションに入札することが可能である。画像を入札するには、図５に示す画面表示において、入札金額と画像ファイル名を入力する必要がある。
【００３４】
図５において、入札金額入力部５８は、画像提供者３０が入札金額を入力するための項目である。画像提供者３０は、最高入札金額表示部５３に表示された金額より低い金額を入力する必要がある。前述したように、本逆オークションにおいては、必ずしも最低入札金額を下回る必要は無い。
【００３５】
画像ファイル名入力部５９は、入札を行う画像ファイル名を入力するための項目である。この例では、入札画像のファイルパスを指定しているが、ハードディスク等の画像を一覧表示し、一覧表示の中から入札を行う画像を選択できるようにしてもよい。また、入札を行なう画像のサムネイル画像のファイル名を指定してもよい。
【００３６】
最後に、入札ボタン５６をクリックすることにより、入札を行うことができる（ステップＳ２３）。画像入札手段１３は、指定された画像ファイルを転送し、さらにここで入力された情報に基づいてこれまでの入札情報を更新し、記憶する。
【００３７】
逆オークションの終了日時が経過すると、画像希望者２０は、入札された画像のサムネイルの中から落札する画像を選択することができる。
【００３８】
図６は、画像希望者２０が入札画像の中から落札する画像を決定し、決済を行うための画面である。入札情報表示部６１には、入札画像のサムネイル６２ａ〜６４ａ、入札画像の撮影地点６２ｂ〜６４ｄ、入札金額６２ｃ〜６４ｃ、及びそれぞれの画像を落札するためのボタン６２ｄ〜６４ｄが入札金額が低い順に列挙されている。入札画像は入札金額が低い順に列挙されるので、より高品質な写真を撮影しても低価格で入札しなければ画像希望者２０の目に触れる可能性が低くなる。この例では一度に３枚の入札画像を表示しているが、この表示する枚数は何枚でもよく、画像希望者２０が設定できてもよい。また、ここで表示されているのはサムネイル画像であるので、本画像の画素数を同時に表示してもよい。さらに、登録した希望画像情報の緯度・経度、及び撮影方向と、入札された画像の緯度・経度、及び撮影方向の合致度を数値化し、評価値として算出して表示してもよい。
【００３９】
決済情報入力部６５は、落札時に使用される決済情報を入力するための項目であり、例えばクレジットカードの決済情報を入力する。決済情報入力部６５に決済情報を入力し、所望の画像の落札ボタン６２ｄ〜６４ｄのいずれかを押すと、画像を落札することができる。
【００４０】
画像希望者２０は、入札画像の中から最も所望とする画像を決定し、落札を行う（ステップＳ２４）。落札に当たって、画像希望者２０は、入札情報表示部６１の表示により入札画像が要求に合致しているかどうか評価を行うことが出来る。ここで評価の基準となるのは例えばサムネイル画像の内容や、撮影日時、撮影位置の正確さ、画像の明るさ、コントラスト、画角など画像に対するさまざまな項目が考えられる。
【００４１】
落札ボタンが押されると、落札手段１５は、本逆オークションの落札画像の入札者である画像提供者３０を落札者として決定し、入札価格、入札画像ファイル名と共に記憶する。さらに、落札者に、入札した画像が落札された旨の通知を行う。
【００４２】
画像の落札が行われると、決済手段１６が決済を行う（ステップＳ２５）。図７は、本発明のオンライン支払い方法の第１の実施の形態のブロック図である。同図において、実線矢印は金銭の流れを表している。また、波線矢印は決済情報の流れを表している。
【００４３】
図８は、本発明のオンライン支払い方法の第１の実施の形態のフローチャートである。決済手段１６は、データに対する課金を決済するために必要な決済情報を画像提供者３０より取得する（ステップＳ８１）。決済情報とは、振り込みを行うための銀行や郵便貯金の口座番号などが考えられる。この情報は、画像を入札する際に画像提供者３０に入力させてもよい。次に、決済手段１６は、画像提供者３０より取得した決済情報を画像希望者２０のパソコンのディスプレイに表示を行う（ステップＳ８２）。画像希望者２０は、決済手段１６によりパソコンのディスプレイに開示された決済情報を元に、直接情報提供者に対してデータに対する課金を支払う（ステップＳ８３）。
【００４４】
このように、画像希望者２０は画像提供者３０に対して対価の支払いを行う。
【００４５】
また、対価の支払いは、以下のように行ってもよい。
【００４６】
図９は、本発明のオンライン支払い方法の第２の実施の形態のブロック図である。同図において、実線矢印は金銭の流れを表している。
【００４７】
図１０は、本発明のオンライン支払い方法の第２の実施の形態のフローチャートである。決済手段１６は、データに対する課金を決済するために必要な決済情報を画像提供者３０より取得する（ステップＳ１０１）。決済情報とは、振り込みを行うための銀行や郵便貯金の口座番号などが考えられる。この情報は、画像を入札する際に画像提供者３０に入力させてもよい。次に、決済手段１６は、データに対する課金を決済するための決済情報を画像希望者２０のパソコンのディスプレイに表示する（ステップＳ１０２）。ここで表示される決済情報は画像提供者固有のものではなく、仲介サーバ１０が保持する銀行口座などの情報が表示される。この時、仲介サーバ１０は決済金額として情報提供者に支払う金額にある比率の手数料を上乗せしてもよい。画像希望者２０は、決済手段１６によりパソコンのディスプレイに開示された決済情報を元に、仲介サーバ１０に対してデータに対する課金を支払う（ステップＳ１０３）。画像希望者２０からの支払いが行われると、仲介サーバ１０は、ステップＳ１０１で情報提供者から得た決済情報を元に、情報提供者に課金を支払う。この時仲介サーバ１０は、ステップＳ１０２において上乗せした手数料を画像希望者２０の支払った課金から天引きして、残額を画像提供者３０へ支払ってもよい。（ステップＳ１０４）。
【００４８】
図１１は、本発明のオンライン支払い方法の第３の実施の形態のブロック図である。これまでのブロック図とは、課金代行者４０が存在するところが異なっている。課金代行者４０は、課金の処理を仲介サーバ１０から引き継いで代行することのできる業者等であり、サーバ１０に代わって画像希望者２０から対価の徴収を行い、画像提供者３０に対価の支払いを行う。同図において、実線矢印は金銭の流れを表している。
【００４９】
図１２は、本発明のオンライン支払い方法の第３の実施の形態のフロー図である。
【００５０】
決済手段１６は、データに対する課金を決済するために必要な決済情報を画像提供者３０より取得する（ステップＳ１０１）。決済情報とは、振り込みを行うための銀行や郵便貯金の口座番号などが考えられる。この情報は、画像を入札する際に画像提供者３０に入力させてもよい。次に、決済手段１６は、データに対する課金を決済するための決済情報を画像希望者２０のパソコンのディスプレイに表示する（ステップＳ１０２）。ここで表示される決済情報は画像提供者３０固有のものではなく、課金代行者が保持する銀行口座などの情報が表示される。本実施の形態では、課金代行者が金銭の授受に関する処理を全て代行するため、仲介サーバ１０では決済の手段を用意する必要がないという特徴がある。この時、仲介サーバは課金代行者４０に対して支払う課金代行手数料を決済金額として画像提供者３０に支払う金額に上乗せする。勿論、仲介サーバ自身が取得する手数料を併せて上乗せするしてもよい。画像希望者２０は、決済手段１６によりパソコンのディスプレイに開示された決済情報を元に、課金代行者４０に対してデータに対する課金を支払う（ステップＳ１２３）。画像希望者２０からの支払いが行われると、課金代行者４０は、ステップＳ１０１で情報提供者から得た決済情報を元に、画像提供者３０に課金を支払う。（ステップＳ１２４）この時課金代行者４０は、ステップＳ１０２において上乗せした手数料を画像希望者２０の支払った課金から天引きして、残額を画像提供者３０へ支払ってもよい。また仲介サーバ１０自身が併せて手数料を上乗せした場合は、その分の手数料を仲介サーバ１０へと支払う。
【００５１】
以上説明したように、画像希望者２０は画像提供者３０へ対価を支払う。
【００５２】
最後に、画像取引手段１７が、画像提供者３０から画像希望者２０へ画像の提供を行う（ステップＳ２６）。
【００５３】
図１３は、本発明における画像データの送信方法の第１の実施の形態のブロック図である。同図において、実線矢印はデータの流れを表している。また、図１４は、本発明におけるデータ送信方法の第１の実施の形態のフローチャートである。
【００５４】
画像取引手段１７は、画像提供者３０から、落札画像を取得する（ステップＳ１４１）。さらに取得した落札画像を、画像希望者２０に送信する（ステップＳ１４２）。
【００５５】
以上のように、画像希望者２０は画像提供者３０から落札画像データを取得することができる。なお、画像の取得は、以下のように行なってもよい。
【００５６】
図１５は、本発明における画像データの送信方法の第２の実施の形態のブロック図である。同図において、実線矢印はデータの流れを表している。また破線矢印は、後述するデータ受信情報の流れを表している。図１６は、本発明におけるデータ送信方法の第２の実施の形態のフローチャートである。
【００５７】
画像取引手段１７は、画像希望者２０が画像提供者３０より画像データを受信するために必要なデータ受信情報を画像提供者３０から取得し（ステップＳ１６１）、画像希望者２０へと送信する（ステップＳ１６２）。データ受信情報は、例えば画像提供者３０の端末から要求データをダウンロードするためのＵＲＬであったり、画像提供者３０の端末にアクセスするためのＩＤやパスワードなどが考えられる。
【００５８】
画像希望者２０は、受信したＵＲＬにアクセスし、落札画像データをダウンロードする（ステップＳ１６３）。
【００５９】
以上のように、利用者が希望する位置に関する画像等の情報について情報提供者が入札を行い、入札金額が最も安価な情報を落札して購入することができる逆オークションシステムを提供することができる。
【００６０】
なお、本実施の形態では情報取得者が所望とする情報を画像としているが、音声、文章、動画など位置に関する電送可能な情報であればこれに限定されない。
【図面の簡単な説明】
【００６１】
【図１】図１は、本発明の逆オークションシステムを実現する仲介サーバ１０のブロック図である。
【図２】図２は、本発明の逆オークションシステムの仲介サーバ１０の処理を示すフローチャートである。
【図３】図３は、画像希望者２０のパソコンに表示された希望画像情報の登録画面である。
【図４】図４は、登録済みの希望画像情報の一覧を告知するための画面表示である。
【図５】図５は、画像を入札するための画面表示である。
【図６】図６は、画像希望者２０が入札画像の中から落札する画像を決定し、決済を行うための画面である。
【図７】図７は、本発明のオンライン支払い方法の第１の実施の形態のブロック図である。
【図８】図８は、本発明のオンライン支払い方法の第１の実施の形態のフローチャートである。
【図９】図９は、本発明のオンライン支払い方法の第２の実施の形態のブロック図である。
【図１０】図１０は、本発明のオンライン支払い方法の第２の実施の形態のフローチャートである。
【図１１】図１１は、本発明のオンライン支払い方法の第３の実施の形態のブロック図である。
【図１２】図１２は、本発明のオンライン支払い方法の第３の実施の形態のフローチャートである。
【図１３】図１３は、本発明における画像データの送信方法の第１の実施の形態のブロック図である。
【図１４】図１４は、本発明におけるデータ送信方法の第１の実施の形態のフローチャートである。
【図１５】図１５は、本発明における画像データの送信方法の第２の実施の形態のブロック図である。
【図１６】図１６は、本発明におけるデータ送信方法の第２の実施の形態のフローチャートである。
【符号の説明】
【００６２】
１０…仲介サーバ、１１…希望画像情報登録手段、１２…希望画像情報告知手段、１３…画像入札手段、１４…入札画像表示手段、１５…落札手段、１６…決済手段、１７…画像取引手段、２０…画像希望者、３０…画像提供者、４０…課金代行者
【図１】
2009086743.tif 000003
【図２】
2009086743.tif 000004
【図３】
2009086743.tif 000005
【図４】
2009086743.tif 000006
【図５】
2009086743.tif 000007
【図６】
2009086743.tif 000008
【図７】
2009086743.tif 000009
【図８】
2009086743.tif 000010
【図９】
2009086743.tif 000011
【図１０】
2009086743.tif 000012
【図１１】
2009086743.tif 000013
【図１２】
2009086743.tif 000014
【図１３】
2009086743.tif 000015
【図１４】
2009086743.tif 000016
【図１５】
2009086743.tif 000017
【図１６】
2009086743.tif 000018